(57)【要約】  本発明は、ガラス象嵌製品（１００）及びその製造方法を提供する。本発明によるガラス象嵌製品（１００）は、基体（１０）を備え、前記基体（１０）は空洞部（１）を有し、前記空洞部（１）の側壁には幾つかの透かし彫り穴（１１）が形成され、前記透かし彫り穴（１１）は前記空洞部（１）と貫通しており、ガラス象嵌製品（１００）は基体（１０）に嵌着される吹きガラス装飾構造（２０）を更に備え、前記吹きガラス装飾構造（２０）は、前記基体（１０）の前記空洞部（１）の中に被覆形成される吹きガラスライニング（２）及び前記基体（１０）の前記透かし彫り穴（１１）に嵌め込まれるガラス突起装飾部（２１）を備え、前記ガラス突起装飾部（２１）と前記吹きガラスライニング（２）は、一体にブロー成形された一体構造である。
2021512021.tif 000002
【特許請求の範囲】
【請求項１】
基体を備え、前記基体は中空の空洞部を有し、前記空洞部の側壁には幾つかの透かし彫り穴が形成され、前記透かし彫り穴は中空の前記空洞部と貫通しているガラス象嵌製品であって、
基体に嵌着される吹きガラス装飾構造を更に備え、
前記吹きガラス装飾構造は、前記基体の前記空洞部の中に被覆形成される吹きガラスライニング及び前記基体の前記透かし彫り穴に嵌入されるガラス突起装飾部を備え、
前記ガラス突起装飾部と前記吹きガラスライニングは、一体にブロー成形される一体構造である
ことを特徴とするガラス象嵌製品。
【請求項２】
前記吹きガラス装飾構造は、前記基体を内から外まで装飾しており、
前記ガラス突起装飾部は、前記基体の前記空洞部の内壁に近接した前記吹きガラスライニングの外側壁に形成され、且つ外に向かって突出されて、前記基体の前記透かし彫り穴の中に係合支持される一体型突起構造であり、
前記吹きガラスライニングは、透かし彫りした前記基体の中空である前記空洞部の内壁に近接し、且つ前記基体の前記空洞部の内壁とともに前記基体の前記空洞部の二層内壁構造を形成している
ことを特徴とする請求項１に記載のガラス象嵌製品。
【請求項３】
前記吹きガラスライニングと前記基体の前記空洞部の内壁は、平行に重合して前記基体の前記空洞部の二層内壁構造を形成し、
前記吹きガラスライニングと透かし彫りした前記基体における前記空洞部の内壁は、形状及び大きさが相互適合し、
前記基体の前記空洞部の内壁は環状に形成されており、
前記吹きガラスライニングは環状に形成されて、前記基体の前記空洞部の内壁とともに相互近接した二層環状壁を形成している
ことを特徴とする請求項２に記載のガラス象嵌製品。
【請求項４】
前記基体の前記空洞部は、その内部でガラスブロー成形が行われるように形成され、
前記ガラス突起装飾部と前記透かし彫り穴は、形状が相互適合し、
前記ガラス突起装飾部は、図形、図案又はパターンである
ことを特徴とする請求項１に記載のガラス象嵌製品。
【請求項５】
前記吹きガラスライニングと前記基体の前記空洞部の内壁との間には隙間が形成されており、
前記ガラス突起装飾部と前記透かし彫り穴の穴壁との間には隙間が形成されている
ことを特徴とする請求項１〜４のいずれか一項に記載のガラス象嵌製品。
【請求項６】
前記隙間には、ガラスブロー成形の前に前記基体の内壁の表面に形成される除去可能な保護接着層を、前記吹きガラス装飾構造をブロー成形した後に除去することにより対応して形成される隙間が含まれ、
前記隙間に、粘着層が更に注ぎ込み形成されている
ことを特徴とする請求項５に記載のガラス象嵌製品。
【請求項７】
除去可能な前記保護接着層は、骨膠層である
ことを特徴とする請求項６に記載のガラス象嵌製品。
【請求項８】
装飾しようとする基体を提供するステップ１と、装飾しようとする前記基体に除去可能な保護接着層を形成するステップ２と、前記基体の空洞部の中でガラス装飾構造をブロー成形するステップ３と、前記保護接着層を除去するステップ４とを有するガラス象嵌製品の製造方法であって、
前記ステップ１において、前記基体の内部に中空の空洞部を有し、前記空洞部の側壁には幾つかの透かし彫り穴が形成され、前記透かし彫り穴と中空の前記空洞部が貫通されており、
前記ステップ２において、前記基体の前記空洞部の内壁及び／又は前記透かし彫り穴の中に除去可能な保護接着剤を塗布し、或いは前記基体を前記保護接着剤の中に直接浸して、前記基体の前記空洞部の内壁及び／又は前記透かし彫り穴の内表面に所定厚みの除去可能な保護接着層を形成し、前記保護接着層の耐熱温度は、ガラス溶融温度より低くなく、
前記ステップ３において、前記空洞部の中において、溶融されたガラスをブロー成形することで、前記空洞部の内部に吹きガラスライニングを形成し、前記透かし彫り穴に溶融されたガラスを充填して、前記透かし彫り穴の中に象嵌されるガラス突起装飾部を形成し、前記ガラス突起装飾部と前記吹きガラスライニングは、一回のブロー成形により形成された一体構造であり、
前記ステップ４において、前記基体の前記空洞部の内壁及び／又は前記透かし彫り穴の中から前記保護接着層を除去し、前記保護接着層を除去したスペースが対応する隙間に形成される
ことを特徴とするガラス象嵌製品の製造方法。
【請求項９】
前記ステップ４において、洗浄方法により前記保護接着層を除去し、前記ガラス装飾構造がブロー成形されている前記基体に対し、洗浄剤又は溶剤を使って洗浄を行い、前記保護接着層は、対応する洗浄剤又は溶剤に溶解されて除去され、
前記隙間の中に注ぎ込みより粘着層を形成するステップ５を更に有する
ことを特徴とする請求項８に記載のガラス象嵌製品の製造方法。
【請求項１０】
除去可能な前記保護接着剤は骨膠であり、
前記保護接着層は骨膠層であり、
前記溶剤は水である
ことを特徴とする請求項９に記載のガラス象嵌製品の製造方法。
【発明の詳細な説明】
【技術分野】
【０００１】
本発明は、ガラス装飾品に関し、特に、ガラス象嵌製品及びその製造方法に関する。
【背景技術】
【０００２】
ガラスは非晶質の一種として、脱型などの常用方法で成形することができない。文鎮、中空動物、中実動物、抽象動物模様、麻ひも工芸など、現在市場に出回っているガラス製品は、いずれも吹きガラス製法を元にしている。しかし、現在の吹きガラス製品は、形状及び材質が単一であり、装飾効果も単調なので、吹きガラス製品の象嵌装飾構造を得ることができない。
【発明の概要】
【発明が解決しようとする課題】
【０００３】
このため、本発明の課題は、上記のようにガラス製品の形状及び材質が単一で、装飾効果が単調であるため、吹きガラス製品の象嵌装飾構造を得ることができないという、従来技術に存在する問題を解決することである。
【０００４】
従って、本発明の目的は、従来技術の方法によっては吹きガラス製品の象嵌装飾構造を作ることができないという問題が解決できる、ガラス象嵌製品及びその製造方法を提供することである。
【課題を解決するための手段】
【０００５】
本発明の目的を達成するために、本発明によるガラス象嵌製品は、基体を備え、前記基体は中空の空洞部を有し、前記空洞部の側壁には幾つかの透かし彫り穴が形成され、前記透かし彫り穴は中空の前記空洞部と貫通しており、
前記ガラス象嵌製品は、基体に嵌着される吹きガラス装飾構造を更に備え、前記吹きガラス装飾構造は、前記基体の前記空洞部の中に被覆形成される吹きガラスライニング及び前記基体の前記透かし彫り穴に嵌入されるガラス突起装飾部を備え、前記ガラス突起装飾部と前記吹きガラスライニングは、一体にブロー成形される一体構造となっている。
【０００６】
好ましくは、前記吹きガラス装飾構造は、前記基体を内から外まで装飾しており、前記ガラス突起装飾部は、前記基体の前記空洞部の内壁に近接した前記吹きガラスライニングの外側壁に形成され、且つ外に向かって突出されて、前記基体の前記透かし彫り穴の中に係合支持される一体型突起構造であり、前記吹きガラスライニングは、透かし彫りした前記基体の前記空洞部の内壁に近接し、且つ前記基体の前記空洞部の内壁とともに前記基体の前記空洞部の二層内壁構造を形成している。
【０００７】
好ましくは、前記吹きガラスライニングと前記基体の前記空洞部の内壁は、平行に重合して前記基体の前記空洞部の二層内壁構造を形成し、前記吹きガラスライニングと透かし彫りした前記基体における前記空洞部の内壁は、形状及び大きさが相互適合し、前記基体の前記空洞部の内壁は環状に形成され、前記吹きガラスライニングは環状に形成されて、前記基体の前記空洞部の内壁とともに相互近接した二層環状壁を形成している。
【０００８】
好ましくは、前記基体の前記空洞部は、その内部でガラスブロー成形が行われるように形成され、前記ガラス突起装飾部と前記透かし彫り穴は、形状が相互適合し、前記ガラス突起装飾部は、図形、図案又はパターンである。
【０００９】
好ましくは、前記吹きガラスライニングと前記基体の前記空洞部の内壁との間には隙間が形成されており、前記ガラス突起装飾部と前記透かし彫り穴の穴壁との間には隙間が形成されている。
【００１０】
好ましくは、前記隙間には、ガラスブロー成形の前に前記基体の内壁の表面に形成される除去可能な保護接着層を、前記吹きガラス装飾構造をブロー成形した後に除去することにより対応して形成される隙間が含まれ、前記隙間に、粘着層が更に注ぎ込み形成されている。
【００１１】
好ましくは、除去可能な前記保護接着層は、骨膠層である。
【００１２】
本発明の目的を達成するために、本発明によるガラス象嵌製品の製造方法は下記ステップを有し、即ち、
ステップ１：装飾しようとする基体を提供すること、前記基体の内部に中空の空洞部を有し、前記空洞部の側壁には幾つかの透かし彫り穴が形成され、前記透かし彫り穴と中空の前記空洞部が貫通されており、
ステップ２：装飾しようとする前記基体に除去可能な保護接着層を形成すること、前記基体の前記空洞部の内壁及び／又は前記透かし彫り穴の中に除去可能な保護接着剤を塗布し、或いは前記基体を前記保護接着剤の中に直接浸して、前記基体の前記空洞部の内壁及び／又は前記透かし彫り穴の内表面に所定厚みの除去可能な保護接着層を形成し、前記保護接着層の耐熱温度は、ガラス溶融温度より低くなく、
ステップ３：前記基体の前記空洞部の中でガラス装飾構造をブロー成形すること、前記空洞部の中において、溶融されたガラスをブロー成形することで、前記空洞部の内部に吹きガラスライニングを形成し、前記透かし彫り穴に溶融されたガラスを充填して、前記透かし彫り穴の中に象嵌されるガラス突起装飾部を形成し、前記ガラス突起装飾部と前記吹きガラスライニングは、一回のブロー成形により形成された一体構造であり、
ステップ４：前記保護接着層を除去すること、前記基体の前記空洞部の内壁及び／又は前記透かし彫り穴の中から前記保護接着層を除去し、前記保護接着層を除去したスペースが対応する隙間に形成される。
【００１３】
好ましくは、前記ステップ４において、洗浄方法により前記保護接着層を除去し、前記装飾構造がブロー成形されている前記基体に対し、洗浄剤又は溶剤を使って洗浄を行い、前記保護接着層は、対応する洗浄剤又は溶剤に溶解されて除去され、
前記ガラス象嵌製品の製造方法は、前記隙間の中に注ぎ込みより粘着層を形成するステップ５を更に有している。
【００１４】
好ましくは、除去可能な前記保護接着剤は骨膠であり、前記保護接着層は骨膠層であり、前記溶剤は水である。
【発明の効果】
【００１５】
本発明によれば、透かし彫りした基体の内部にガラス内層をブロー成形するとともに、ブロー成形時には液状ガラスが透かし彫り穴の外まで押出されて象嵌構造のガラス突起装飾部を形成するので、基体の表面にいろんな形状及び／又は大きさを有する造形を形成することができる。
【００１６】
このように、吹きガラスと透かし彫りした基体の結合により形成されたガラス象嵌製品は、より美感を有し、構造も簡単で、装飾効果の多様化、製品の多様化を図ることができる。従って、高いコストをかけて固定模型を作る必要もなく、ブロー成形により多様な吹きガラス装飾構造を形成することができて、多種の基体の任意の空洞部及び透かし彫り穴の形状に適合し、適応性がより強くなる。
【図面の簡単な説明】
【００１７】
【図１】本発明の実施形態による透かし彫りした基体の斜視図である。
【図２】本発明の実施形態による内表面に骨膠保護層が形成された、透かし彫りした基体の斜視図である。
【図３】本発明の実施形態による透かし彫りした基体にガラスをブロー成形した後の斜視図である。
【図４】本発明の実施形態によるガラス象嵌製品の斜視図である。
【発明を実施するための形態】
【００１８】
以下、図面を参照しながら本発明の具体的実施形態について説明する。本発明の実施形態、実施例における特徴の構成は、内容が相互矛盾しない限り、その組み合せも本発明の保護範囲に含まれる。
【００１９】
本発明の実施形態によるガラス象嵌製品の製造方法は、吹きガラス工芸を利用して、各種の透かし彫りした基体に対し吹きガラス装飾を行い、且つ内から外まで基体を装飾して、基体の内部に吹きガラスライニングを形成し、基体外部の透かし彫り穴の中に吹きガラスライニングと一体成形されるガラス突起装飾部を形成する。これにより、装飾効果が優れ、様々な装飾図案を形成することができ、工芸方法も簡単である。
【００２０】
図１〜４に示すように、本発明の実施形態によるガラス象嵌製品１００は、中空且つ透かし彫りされた基体１０を備え、この基体１０は、中空である空洞部１及び空洞部１の側壁に形成された幾つかの透かし彫り穴１１を備えており、透かし彫り穴１１と中空である空洞部１は貫通している。
【００２１】
ガラス象嵌製品１００は、基体１０に嵌着された吹きガラス装飾構造２０を更に備えている。吹きガラス装飾構造２０は、基体１０の空洞部１に被覆形成され且つガラスブロー成形により形成される吹きガラスライニング２、及び基体１０の透かし彫り穴１１に嵌入されるガラス突起装飾部２１を備えている。ガラス突起装飾部２１は、吹きガラスライニング２の外壁から一体に外に向いて突出して透かし彫り穴１１の中まで形成された突出物であって、透かし彫り穴１１の中に係合支持されている。また、ガラス突起装飾部２１は、吹きガラスライニング２と一回のブロー成形により形成された一体のガラスブロー成形構造であって、その形状及び大きさが、透かし彫り穴１１に適合している。ここで、ガラス突起装飾部２１は、溶融のガラスをブロー成形するとき、液状ガラスが透かし彫り穴１１に流れ込んで冷却後に自然形成された構成であるため、透かし彫り穴１１との間に堅固で適合な象嵌結合が形成される。これにより、吹きガラスライニング２が基体１に係止されて、両者が脱離しないように固定される。
【００２２】
一つの実施例として、液滴の表面張力の原理により、透かし彫り穴１１の外部まで突出した一部又は全部のガラス突起装飾部２１は、端面が球面、弧面、曲面又は他の形状である泡状物であって、端面の大きさが透かし彫り穴１１の大きさより大きくなってもいい。従って、その泡状物が透かし彫り穴１１の外部で係止されるの、透かし彫り穴１１において、透かし彫り穴１１を基体１に係合することができて、吹きガラスライニング２と基体１０の更なる堅固な嵌着構造を形成することができる。
【００２３】
透かし彫り穴１１は一つでも複数でもよく、これに相応して、吹きガラスライニング２の外壁にも対応する一つ又は複数のガラス突起装飾部２１を形成すればいい。吹きガラスライニング２の外壁は、基体１０の空洞部１の内壁１２における側壁に向かっており且つ近接している。
【００２４】
吹きガラス装飾構造２０は、透かし彫りされた基体１０の中空である空洞部１の中で液状ガラスをブロー成形し、冷却して形成される構成である。
【００２５】
図１をみると、本実施形態の透かし彫りした基体１０は、様々な材質を多様な形状に作った装飾待ちの構成であって、金属や非金属により作られ、例えば、セラミック基体、金属基体又は木質基体であってもいいし、形状も様々に作られ、例えば、グラス、碗、瓶などの容器であってもいい。もちろん、その他の物品又は用品であってもいい。
【００２６】
基体１０は、ガラスブロー成形に適する内部の空洞部１を備えているので、ガラスブロー成形の際、ガラス吹き竿を空洞部１の内部まで挿入する。ここで、透かし彫り穴１１を、ガラスブロー成形時のガラス吹き竿の挿入口として使ってもいいので、情況によって、基体１０に別途開口を形成しなくてもいい。空洞部１の側壁には、貫通した一つ又は複数の透かし彫り穴１１が形成されている。一つの実施例として、基体１０の空洞部１の側壁は環形になって、対応して、基体１０の空洞部１の内壁１２も環形になっている。
【００２７】
そして、図３，４を参照してみると、吹きガラスライニング２は、液状のガラスを透かし彫りした基体１０の空洞部１の中に吹き込んで、冷却後に形成された構成である。一つの実施例として、吹きガラスライニング２は、透かし彫りした基体１０の空洞部１の内壁１２と形状が一致し且つ相互接合する。ガラス突起装飾部２１は、吹きガラスライニング２の全体構造から分割できない一部であって、液状ガラスのブロー成形時に透かし彫り穴１１に充填した液状ガラスが冷却されて形成された突起部である。
【００２８】
一つのガラス突起装飾部２１は、一つの透かし彫り穴１１に嵌入され且つ係合支持されて、基体１０の外表面から突出している。透かし彫り穴１１の造形に合わせて、ガラス突起装飾部２１は、単一のガラス玉象嵌であってもよく、基体１０に対して装飾を形成する構造であれば、玉状でもその他の多様な図形でもよく、図案又はパターンでもいい。
【００２９】
吹きガラスライニング２は、溶融されたガラスが基体１０の空洞部１の中でブロー成形されてなされている。一つの実施形態として、吹きガラスライニング２は、透かし彫りした基体１０の空洞部１の内壁１２と形状が一致し、空洞部１の中に被覆形成されて空洞部１の二層内壁構造を形成する。他の実施形態として、吹きガラスライニング２と透かし彫りした基体１０の内壁１２は、平行に重合して空洞部１の二層内壁構造を形成する。本実施形態において、吹きガラスライニング２の側壁も対応して環形に形成されて、基体１０の内壁と重合して空洞部１の二層環状壁を形成し、内部中心で空洞部１が囲まれるように形成される。
【００３０】
吹きガラスライニング２の側壁の空洞部１に対応する一面が内壁（符号表記せず）であり、基体１０の空洞部１の内壁と接合する側が外壁２２（図４）であって、外壁２２は基体１０の空洞部１の内壁に近接し、外壁の表面に形成された一体のガラス突起装飾部２１が透かし彫り穴１１の中に嵌入されて、相互係合支持できるので、吹きガラスライニング２と基体１との配合を安定させる。同時に、ガラス突起装飾部２１は、透かし彫り穴１１に伸び出されて基体表面の装飾ための図形、図案又はパターンを形成し、さまざまな図案の装飾玉を形成することができて、美観の装飾効果があり、構造が簡単で堅固である。
【００３１】
更に、吹きガラスライニング２と透かし彫りした基体１０の内壁との間には、隙間３が形成されて、熱膨脹と冷収縮時に両者同士の体積変化差に適応して調節することができる。一つの実施形態として、隙間３は、吹きガラスライニング２をブロー成形する前に基体１０の空洞部１の内壁表面に塗布した除去可能（例えば、水洗いで除去可能）な保護接着層４を、吹きガラスライニング２のブロー成形後に除去することにより形成される隙間を含んでいる。詳しくは、吹きガラスライニング２をブロー成形する前に、基体１０を洗浄可能な保護接着剤の中に完全に浸すか、或いは、基体１０の内壁（外壁及び透かし彫り穴の中にも同時に塗布してもいい）に除去可能な保護接着剤を直接塗布して保護接着層４を形成し、その後、空洞部１の中でガラスブロー成形を行って、空洞部１の内壁１２の表面における保護接着層４の内側に吹きガラスライニング２を成形する。
【００３２】
一つの実施例として、吹きガラスライニング２は、空洞部１の内壁１２の保護接着層４に接合される。このため、吹きガラス装飾構造２０を成形する際、形成された吹きガラスライニング２の外側面２２と基体１０の空洞部１の内壁１２との間に一層の保護接着層４を有している。ガラスブロー成形が終了後、製品全体を洗浄することで、基体１０の空洞部１の内壁１２にある保護接着層４を洗浄して除去することができる。従って、除去された保護接着層４により、基体１０の空洞部１の内壁１２と吹きガラスライニング２との間に隙間３が形成される。
【００３３】
同じく、ガラス突起装飾部２１と基体１０の透かし彫り穴１１の穴壁との間にも隙間３’が形成されており、隙間３’は、吹きガラスライニング２をブロー成形する前に基体１０の空洞部１の内壁表面及び透かし彫り穴１１の中に塗布した除去可能な保護接着層４を、吹きガラスライニング２のブロー成形後に除去することにより形成された隙間である。或いは、ガラスブロー成形の前に、基体全体を除去可能な保護接着剤の中に浸すと、基体１０の内外表面及び透かし彫り穴１１の中に除去可能な保護接着層が覆われて、乾燥後に基体の内外壁と透かし彫り穴１１の中には、いずれにも除去可能な保護接着層４が形成される。吹きガラス装飾構造２０の成形終了後、相応の洗剤により製品全体を洗浄することで、保護接着層４が溶解除去されて、ガラス突起装飾部２１と基体１０の透かし彫り穴１１の穴壁との間に隙間３’、及び基体１０の空洞部１の内壁１２と吹きガラスライニング２との間に隙間３が形成される。
【００３４】
除去可能な保護接着剤は、洗浄剤又は溶剤に溶解される塗料又は接着剤であって、浸漬洗浄により除去することができる。これに対応して、形成された除去可能な保護接着層とは、相応の洗浄剤又は溶剤を使って溶解方式で保護接着層を溶解除去することができる。除去可能な保護接着剤は、水洗浄して除去可能な保護接着剤（即ち、塗料又は接着剤）であってもよく、対応して形成された保護接着層は、水洗浄して除去可能な保護接着層（即ち、水に溶解される）である。保護接着層４の耐熱温度は、ガラス溶融温度より低くないため、ガラスブロー成形の際、基体１０は、保護接着層４により断熱され且つ液状ガラスの融解スラグから隔離することができて、基体１０の表面層が焼損又は破壊されないようにする。ここで、除去可能な保護接着剤は骨膠であり、対応する保護接着層４は骨膠層であることが好ましい。
【００３５】
使用時、吹きガラスライニング２をブロー成形する前に基体１０の内壁（及び外壁）の表面及び透かし彫り穴１１の中にいずれにも骨膠を塗布し、或いは、基体を直接骨膠に浸漬してから乾燥することで、基体の内（外）表面に、及び透かし彫り穴の中に骨膠層を形成する。吹きガラスライニング２のブロー成形後、製品を水に漬かして基体１から骨膠層を除去することができる。対応して、ガラス突起装飾部２１と基体１０の透かし彫り穴１１の穴壁との間に隙間３’、及び基体１０の空洞部１の内壁１２と吹きガラスライニング２との間に隙間３が形成される。
【００３６】
更に、ガラスブロー成形による吹きガラスライニング２と透かし彫りされた基体１０との配合を安定させるために、隙間３，３’の中に再び膠質物を注ぎ込んで粘着層（図示せず）を形成してもいい。従来におけるガラス接合剤又は基体粘着が可能な接着剤を使ってもいい。
【００３７】
粘着層は、吹きガラスライニング２と透かし彫りされた基体１０の膨張係数に合わせて、基体１０と吹きガラスライニング２に熱膨脹及び冷収縮が発生しても相互脱離しないように形成されているため、押し砕かれたり破砕されたりすることがない。
【００３８】
もちろん、吹きガラスライニング２は多様な形状に形成されてもよく、基体１０の空洞部１の中に成形されて、その外側壁のガラス突起装飾部２１と一体構造となっている。吹きガラスライニング２と空洞部１の内壁との間の間隔が隙間３のみでもよく、各種の異なる間隔になってもいいので、装飾又は他の機能要求に適応できる。同じく、ガラス突起装飾部２１もその形状又は図案が様々で、穴壁との間隔が隙間３’であってもよく、隙間３’と異なる間隔であってもいい。ガラス突起装飾部２１の形状、大きさ及び高さは、相互同じでもいいし、異なってもいい。
【００３９】
以下、本発明の実施形態によるガラス象嵌製品１００の製造方法について説明する。本実施形態によるガラス象嵌製品１００の製造方法は、下記ステップを有している。
【００４０】
ステップ１：装飾しようとする基体１０を提供する。図１に示すように、基体１０の内部には中空の空洞部１が形成され、空洞部１の側壁には幾つかの透かし彫り穴１１が形成されており、透かし彫り穴１１と中空の空洞部１が貫通されている。基体１０の内部の空洞部１は、溶融ガラスのブロー成形に適するように設計されている。
【００４１】
ステップ２：装飾しようとする基体１０に除去可能な保護接着層４を形成する。図２に示すように、基体１０の空洞部１の内壁１２に、同時に外壁にも、及び透かし彫り穴１１の中に、除去可能（例えば、洗浄除去）な保護接着剤を塗布して、基体１０の空洞部１の内壁１２（又は外壁及び透かし彫り穴の中）に除去可能な保護接着層４を形成することができる。或いは、基体１０を洗浄除去可能な保護接着剤の中に浸して、基体１０の空洞部１の内壁１２、外壁及び透かし彫り穴１１の中に、一層の所定厚さを有する保護接着層４を形成することができる。本実施形態において、洗浄除去可能な保護接着剤は骨膠であり、例えば、動物性接着剤であって、水に溶解されて水洗浄することができる。これに対応して、保護接着層４は骨膠層であって、その保護接着層の耐熱温度が、ガラスブロー成形時の作業温度及びブローガラスの温度より低くない。
【００４２】
保護接着層（又は骨膠層）４は、基体１０が溶融ガラスによる破壊を受けず、熱変形しないように保護するもので、断熱もでき、基体１０が溶融ガラスに接触しないように阻止することができる。
【００４３】
ステップ３：基体１０の空洞部１の中にガラス装飾構造２０をブロー成形する。図３に示すように、ガラス吹き竿の一端を基体１０の空洞部１の内部まで伸ばし、他の一端を溶融したガラスの中に挿入して、空洞部１の中でガラスブロー成形を行う。溶融したガラスを空洞部１の中に吹き込んでから冷却すると吹きガラスライニング２が形成され、同時に、溶融したガラスを透かし彫り穴１１に充填してから冷却するとガラス突起装飾部２１が形成される。ここで、ガラスブロー成形による吹きガラスライニング２とガラス突起装飾部２１は、吹きガラス装飾構造２０を構成する。
【００４４】
一つの実施例として、吹きガラス装飾構造２０は、基体１の内壁１２に吹きガラスライニング２の平行二層壁構造を形成し、且つ基体表面の透かし彫り穴１１の中にガラス突起装飾部２１を形成し、空洞部１の内部に吹きガラスライニング２を形成して基体１の内壁１２に近接し且つ骨膠層に粘着する。同時に、透かし彫り穴において、液状ガラスでガラス突起装飾部２１が形成されて透かし彫り穴１１の中に嵌入される。ガラス突起装飾部２１は、吹きガラスライニング２の外壁に一体に突出形成した、全体が分割できないガラスブロー構造である。
【００４５】
もちろん、基体１０の空洞部１の中にガラスブロー成形された吹きガラスライニング２は、多様な形状、大きさを有し、空洞部１の内壁の形状と同じでも異なってもよく、空洞部１の内壁に付着されてもいいし、内壁から分離されてもいい。透かし彫り穴１１に液状のガラスが充填されて形成した一体構造のガラス突起装飾部２１は、その形状、大きさ及び構造が同じであっても異なってもよく、透かし彫り穴との間に異なる隙間が形成されて、異なる象嵌を形成してもいい。
【００４６】
ステップ４：保護接着層を除去する。詳しくは、完成品を浸して洗浄することで、図４に示すようなガラス象嵌製品１００を得る。ガラス装飾構造２０がブロー成形された基体１０を共に洗浄するが、適切な洗浄剤又は溶剤を選んで使い、本実施形態では水洗いをする。骨膠層は水に溶解されて完全に洗浄され、除去された骨膠層により、吹きガラスライニング２と基体１の内壁１２との間に隙間３が形成され、透かし彫り穴１１におけるガラス突起装飾部２１と穴壁との間にも隙間３’が形成される。隙間３, ３’は、基体１とガラスの熱膨張係数の差を調節するために使われて、両者の熱膨脹と冷収縮時に発生する体積変化差に適応されるようにする。最後に得られたガラス象嵌製品１００において、吹きガラス装飾構造２０と基体は相互嵌合するため、構造が堅固で、基体を内から外に向かって装飾しているので、優れた装飾効果を加えるともに、工芸が簡単になる。
【００４７】
本発明の実施形態では、基体の材質として、セラミック、金属又は透かし彫り可能な材質を選んでおり、基体の内部において、水洗いで除去可能な接着剤層を処理層とし、処理層の内部において、液状のガラスを使ってブロー成形を行う。そして、各透かし彫り穴にガラスを充填し、液状のガラスが冷却されると、基体の空洞部の内壁に、ガラスブロー成形による吹きガラスライニングが形成される。なお、基体の外部における透かし彫りされた箇所は、それぞれ異なる大きさ、多様な造形で形成されてもいい。
【００４８】
以上のように、図面を参照しながら本発明の好ましい実施形態について説明したが、本発明はこれらの実施形態に限定されず、本発明の趣旨及びその範囲から逸脱しない限り、その趣旨に基づいて変更、同等代替または改善することができ、いずれも本発明の保護範囲に含まれる。
【図１】
2021512021.tif 000003
【図２】
2021512021.tif 000004
【図３】
2021512021.tif 000005
【図４】
2021512021.tif 000006
【国際調査報告】
2021512021.tif 000007
2021512021.tif 000008
2021512021.tif 000009
2021512021.tif 000010